(57)【要約】【課題】  ワゴン本体を大型化させることなく、冷却室内を長時間低温に保って使用することが可能なサービスワゴンを提供すること。【解決手段】  複数の車輪５を有する手押し型のワゴン本体２を有するサービスワゴン１に設けられた冷却室７内を、前記ワゴン本体２の電池室９に収容された内蔵電源たる二次電池25からの電力で駆動されると共に小型で且つ小さい消費電力で−１８℃以下まで冷却することができるスターリング冷凍機15で冷却するように構成することで、前記ワゴン本体２に搭載される冷却のための機構及び前記二次電池25を小さくすることができ、前記ワゴン本体２における前記棚部６の割合を増やしてより多くの商品を積載することができるばかりでなく、車内販売等で前記冷却室７内を前記スターリング冷凍機15で冷却しながら長時間移動することが可能なサービスワゴン１を得ることができる。【選択図】図２
2005270433.tif 000002
【特許請求の範囲】
【請求項１】
複数の車輪を有する手押し型のワゴン本体と、このワゴン本体内に設けられる冷却室と、この冷却室内を冷却するためのスターリング冷凍機と、前記ワゴン本体に設けられると共に前記スターリング冷凍機を駆動するための内蔵電源とを有することを特徴とするサービスワゴン。
【請求項２】
前記スターリング冷凍機を冷却するための気流を発生させる電動ファンが設けられていると共に、このファンによって発生した気流の出口を前記ワゴン本体の底部に設けたことを特徴とする請求項１記載のサービスワゴン。
【請求項３】
前記内蔵電源を前記ワゴン本体に対して着脱交換自在に設けたことを特徴とする請求項１記載のサービスワゴン。
【請求項４】
前記冷却室の開口を開閉自在に閉塞する蓋体と、この蓋体を前記ワゴン本体に対して枢支するヒンジ機構と、前記蓋体と前記冷却室の開口縁との隙間をシールする振動吸収性を有するパッキンを設けると共に、前記ヒンジ機構を、前記開口の前記スターリング冷凍機から離れた側の縁近傍に設けたことを特徴とする請求項１記載のサービスワゴン。
【発明の詳細な説明】
【技術分野】
【０００１】
本発明は、列車内等において移動販売等に用いられるサービスワゴンに関するものである。
【背景技術】
【０００２】
従来、この種のサービスワゴンとしては、ワゴン本体の下部に複数の車輪を設け、販売員によって手押し移動される販売ワゴンが知られている（例えば、特許文献１参照。）。そして、この販売ワゴンでは、氷冷却式のビール冷却器が設けられている。また、冷却装置を内蔵したサービスカートも知られている（例えば、特許文献２参照。）。
【特許文献１】特開平１０−２７３０５３号公報
【特許文献２】特開２００１−１９０３３８号公報
【発明の開示】
【発明が解決しようとする課題】
【０００３】
しかしながら、前者の販売ワゴンにおいては、冷却源が氷であるため、商品の他に氷が必要となり、定期的に氷を補給しなければならず、使い勝手が悪いという問題があった。また、このような氷冷却式の冷却器を冷却室内の冷却に用いた場合、冷却室内を氷の融点以下にできないため、−１８℃以下で保存する必要のあるアイスクリームの保存ができないという問題があった。一方、後者のサービスカートにおいては、冷却装置によってサービスカート内が冷却されるので、氷等が不要で使い勝手が良いものの、圧縮器を用いて冷却するため消費電力が大きく、列車内で全車両を往復しながら移動販売するような用途の場合、移動距離及び移動時間が長くなるため、内蔵電源（二次電池等）を大きくする必要があり、サービスカートが大型化してしまうという問題があった。また、サービスカート内をアイスクリームの保存温度である−１８℃以下に強冷却する場合、前記圧縮器の消費電力が更に上昇するので、内蔵電源をより大型化しなければならず、サービスカートがより大型化してしまうという問題があった。
【０００４】
本発明は以上の問題点を解決し、ワゴン本体を大型化させることなく、冷却室内を長時間低温に保って使用することが可能なサービスワゴンを提供することを目的とする。
【課題を解決するための手段】
【０００５】
本発明の請求項１に記載のサービスワゴンは、複数の車輪を有する手押し型のワゴン本体と、このワゴン本体内に設けられる冷却室と、この冷却室内を冷却するためのスターリング冷凍機と、前記ワゴン本体に設けられると共に前記スターリング冷凍機を駆動するための内蔵電源とを有するものである。
【０００６】
また、本発明の請求項２に記載のサービスワゴンは、請求項１において、前記スターリング冷凍機を冷却するための気流を発生させる電動ファンが設けられていると共に、このファンによって発生した気流の出口を前記ワゴン本体の底部に設けたものである。
【０００７】
また、本発明の請求項３に記載のサービスワゴンは、請求項１において、前記内蔵電源を前記ワゴン本体に対して着脱交換自在に設けたものである。
【０００８】
更に、本発明の請求項４に記載のサービスワゴンは、請求項１において、前記冷却室の開口を開閉自在に閉塞する蓋体と、この蓋体を前記ワゴン本体に対して枢支するヒンジ機構と、前記蓋体と前記冷却室の開口縁との隙間をシールする振動吸収性を有するパッキンを設けると共に、前記ヒンジ機構を、前記開口の前記スターリング冷凍機から離れた側の縁近傍に設けたものである。
【発明の効果】
【０００９】
本発明の請求項１に記載のサービスワゴンは、以上のように構成することにより、前記内蔵電源から供給された電力によって前記スターリング冷凍機が作動し、このスターリング冷凍機によって生成された冷熱によって、前記ワゴン本体内に設けられた冷却室内が冷却される。そして、前記スターリング冷凍機は、少ない電力で−１８℃以下まで冷却することができるので、列車内で移動販売を行う場合等であっても、前記スターリング冷凍機を従来のものに対して比較的小さな内蔵電源で長時間作動させることができる。更に、前記内蔵電源が従来のものに対して比較的小さなもので済むので、前記ワゴン本体、ひいてはサービスワゴン全体を大型化させないようにすることができる。
【００１０】
また、本発明の請求項２に記載のサービスワゴンは、以上のように構成することにより、電動ファンによって発生すると共に前記スターリング冷凍機が発生させた熱を奪った気流が、前記サービスワゴン本体の底部に形成された気流出口から前記サービスワゴン本体外に放出される。このとき、前記スターリング冷凍機の熱を奪った気流が前記ワゴン本体の底部から放出されるので、生温かい風が販売者や客等に当たらないようにすることができる。
【００１１】
また、本発明の請求項３に記載のサービスワゴンは、以上のように構成することにより、定期的に前記内蔵電源を交換することで、列車内等における移動販売等を長時間継続することができる。
【００１２】
更に、本発明の請求項４に記載のサービスワゴンは、以上のように構成することにより、スターリング冷凍機の振動がパッキンによって吸収されると共に、前記ワゴン本体と蓋体とを振動伝達可能に接続するヒンジ機構が前記スターリング冷凍機から離れた側の縁近傍に設けられていることで、前記スターリング冷凍機からの振動が前記蓋体に至る間に十分減衰するので、前記スターリング冷凍機からの振動が前記蓋体を殆ど振動させないようにして騒音が発生しないようにすることができる。
【発明を実施するための最良の形態】
【００１３】
以下、本発明の実施形態について、図１乃至図４に基づいて説明する。１はサービスワゴンである。このサービスワゴン１は、ワゴン本体２とハンドル３とを有している。そして、前記ワゴン本体２は、基台４と、この基台４に設けられた二対四本の車輪５と、前記基台４上に設けられた棚部６と、同じく前記基台４上に設けられた冷却室７と、同じく前記基台４上に設けられた冷凍機室８と、同じく前記基台４上に設けられた電池室９と、同じく前記基台４上に設けられた電動機室10と、前記冷却室７の上部に形成された開口11を開閉自在に覆う蓋体12とを有している。なお、前記冷却室７と冷凍機室８は、互いに隣接して設けられている。そして、前記冷凍機室８には、前記ワゴン本体２の外部と連通する吸気口13と排気路14が形成されていると共に、内部にスターリング冷凍機15が設けられている。更に、このスターリング冷凍機15の吸熱部15Ａには、冷媒の相変化を利用して熱を移動させるサーモサイフォン等の熱伝達機構16が取り付けられている。なお、図面の簡略化のために省略したが、前記スターリング冷凍機15の吸熱部15Ａ及び前記熱伝達機構16の周囲は、断熱体で覆われている。また、前記冷却室７は、前記ワゴン本体２のフレームによって形成された外容器17と、アルミニウム等の熱伝導性に優れた金属製の内容器18と、これら外容器17と内容器18との間に充填された断熱材19とで構成されている。なお、前記熱伝達機構16は、前記内容器18と熱的に接触している。また、前記排気路14には、吸い出し型の電動ファン20が設けられており、この電動ファン20を後述する二次電池25からの電力によって駆動することで、前記サービスワゴン１の外部から前記吸気口13を経て前記冷凍機室８内に流入し、前記スターリング冷凍機15の放熱部15Ｂ及び駆動部15Ｃから熱を奪い、前記排気路14から放出される気流が形成される。なお、前記排気路14の出口14Ａは、前記ワゴン本体２の基台４の下面、即ち前記ワゴン本体２の底部において、下方に向かって開口するように形成されている。また、前記開口11の縁部21には、振動吸収性を有する素材からなるパッキン22が設けられていると共に、前記縁部21近傍において、ヒンジ機構23によって前記蓋体12が枢支されている。そして、前記蓋体12が閉じられた状態において、前記開口11の縁部21と蓋体12との間に前記パッキン22が配されることになり、このパッキン22によって、前記冷却室７内が前記サービスワゴン１の外部に対して密閉されると共に、前記スターリング冷凍機15からの僅かな振動及び路面から前記車輪５を経て前記ワゴン本体２に伝わる振動によって、前記蓋体12が振動することが防止される。なお、前記ヒンジ機構23は、前記開口部11の縁部21のうち、前記冷凍機室８から離れた縁部21Ａ近傍に設けられている。そして、前記電池室９は、前記ワゴン本体２の側面において開口していると共に、この開口を開閉自在に覆う扉体24が設けられている。更に、前記電池室９には、内蔵電源たる二次電池25が着脱自在に収容されている。なお、26は前記二次電池25を後述する制御回路35に接続するためのコネクタである。
【００１４】
また、前記基台４の底部には、前記車輪５の車軸27を軸支するための軸受部28が設けられている。そして、前記車輪５のうち、後輪５Ａは、前記電動機室10に収容された電動機29によって駆動可能に構成されている。なお、この電動機29は、電磁クラッチ30及び図示しない駆動力伝達機構を介して、前記後輪５Ａの車軸27Ａに連結されている。
【００１５】
また、前記ワゴン本体２の上面には、前記スターリング冷凍機15を操作するための操作パネル31及び前記電動機29を操作するためのスイッチ32が設けられている。前記操作パネル31には、前記スターリング冷凍機15を作動させるためのスイッチ、前記冷却室７内の温度を設定するためのスイッチ及び各種インジケータが設けられている。また、前記冷却室７の内容器18の外面には、温度センサ33が前記内容器18と熱的に接触した状態で設けられている。更に、何れかの前記車輪５近傍に、この車輪５の回転を検知する移動センサ34が設けられている。そして、これら操作パネル31、スイッチ32、温度センサ33、移動センサ34からの信号を受けて前記二次電池25の電力によって前記スターリング冷凍機15、電動機29及び電磁クラッチ30を動作させる制御回路35が、前記ワゴン本体２内に設けられている。なお、36は前記二次電池25以外の外部電源と接続するためのコネクタである。
【００１６】
次に、本実施形態の作用について説明する。なお、ここでは列車内での車内販売に用いる場合について説明するが、配膳等の用途に用いる場合も同様であると共に、使用場所も航空機や船舶、ホテル、病院等、様々な場合が考えられる。まず販売員は、前記電池室９に充電済みの前記二次電池25を収容し、前記コネクタ26を接続する。そして、前記コネクタ36に外部電源を接続し、操作パネル31を操作することで、前記外部電源からの電力によって、前記スターリング冷凍機15及び電動ファン20が作動し、前記スターリング冷凍機15の吸熱部15Ａで生じた冷熱が前記熱伝達機構16を介して前記冷却室７の内容器18に伝わることで、前記冷却室７内が冷却される。この時、前記操作パネル31の温度設定スイッチの操作によって、前記冷却室７内は、飲料の冷却に適した０℃以上の温度、冷凍食品等の保存に適した０〜−１８℃の温度、又はアイスクリーム等の保存に適した−１８℃以下の温度に設定される。なお、前記スターリング冷凍機15は比較的小型であり、且つ比較的小さい電力で−１８℃以下の低温まで冷却させることが可能である。また、前記スターリング冷凍機15が作動することで、このスターリング冷凍機15の吸熱部15Ａが低温になる半面、放熱部15Ｂ及び駆動部15Ｃが高温になるが、前記電動ファン20によって形成された気流によって、前記放熱部15Ｂ及び駆動部15Ｃの熱が奪われ、この熱を奪った気流が前記排気路14から前記ワゴン本体２の外部に放出される。なお、前記スターリング冷凍機15の吸熱部15Ａ及び熱伝達機構16は、図示しない前記断熱体によって覆われているので、前記気流から熱を受けない。そして、前記冷却室７内は、前記制御回路35によって、前記温度センサ33からの信号に基づいて前記スターリング冷凍機本体15を制御することで、設定された所定の温度に冷却される。なお、前記電池室９に未充電の前記二次電池25を収容し、前記冷却室７内を冷却している間に前記二次電池25を外部電源によって充電するようにしても良い。そして、前記冷却室７内が所定の温度まで冷却されたら、前記蓋体12を開けて前記冷却室７内に商品を収容した後、前記蓋体12を再び閉じ、更に前記外部電源を前記コネクタ36から切り離し、前記二次電池25からの電力によって前記スターリング冷凍機15を作動させるように切り換える。また、前記棚部６にも、冷却する必要のない商品或いは器等を載せる。
【００１７】
なお、前述したように、前記ヒンジ機構23が、前記冷却室７の開口11の縁のうち、隣接した前記冷凍機室８から最も離れた位置にある縁近傍に設けられているので、前記スターリング冷凍機15の振動は、前記開口11の縁から前記パッキン22を経て前記蓋体12に殆ど伝わらず、前記スターリング冷凍機15から離れた前記ヒンジ機構23から前記蓋体12に伝わることになる。このため、前記蓋体12に伝わる振動が、前記スターリング冷凍機15から前記ヒンジ機構23に至る間に十分減衰することになるので、前記蓋体12は殆ど振動せず、このため、前記蓋体12の振動に起因する騒音も殆ど発生しない。
【００１８】
そして、販売員は、ハンドル３を把持し、商品を載せたサービスワゴン１を押して車内販売に出発する。この際、前記スイッチ32を操作することで、前記二次電池25からの電力が前記電動機29及び電磁クラッチ30に供給されることになり、前記電動機29が回転すると共に前記電磁クラッチ30の一次側と二次側が接続されることで、前記電動機29の駆動力が前記電磁クラッチ30及び図示しない駆動力伝達機構を介して、前記後輪５Ａに伝達され、この後輪５Ａを回転させる。そして、この後輪５Ａが回転することで、前記サービスワゴン１の発進時に押す力を補助されるので、前記サービスワゴン１に積載した商品が重い場合であっても、軽い力で押し始めることができ、販売員にかかる負担を軽減させることができる。また、前記電動機29は、前記制御回路35によって数秒で停止すると共に、前記電磁クラッチ30の一次側と二次側も切り離される。しかしながら、前記電動機29が停止した時点では、既に前記サービスワゴン１は十分な速度に達しているので、販売員は軽い力でサービスワゴン１を押し続けることができる。また、このように前記電動機29が数秒で停止するので、消費電力も少なくて済む。なお、前記車輪５の回転を前記移動センサ34が検知している状態では、前記スイッチ32を操作しても前記電動機29は作動しない。このため、前記電動機29の補助が不要な前記サービスワゴン１の移動時に前記電動機29が作動しないので、無駄な消費電力を消費しなくて済む。更に、前記電動機29が停止した際に、前記電磁クラッチ30の一次側と二次側が切り離されるので、前記電動機29が停止した状態で前記後輪５Ａの回転が図示しない前記駆動力伝達機構及び電磁クラッチ30を介して前記電動機29を回転させることがなく、従って、前記電動機29の停止時にこの電動機29が前記サービスワゴン１の移動の抵抗にならないようにすることができる。
【００１９】
なお、例えば列車内での車内販売の場合、何台も連結された列車内を往復するため、前記サービスワゴン１を押しながら長時間移動することになるが、前述したように、従来用いられていたコンプレッサー式の冷凍機に対して、比較的少ない電力で−１８℃以下まで冷却できるスターリング冷凍機15が前記冷却室７内を冷却するのに用いられているので、列車内を長時間移動して車内販売を続けたとしても、前記ワゴン本体２の電池室９に収容された二次電池25で、前記冷却室７内を十分冷却し続けることができる。逆に言うと、前記冷却室７内を冷却するスターリング冷凍機15を駆動するための二次電池25を小型化することができることになる。
【００２０】
また、列車内で移動しながら車内販売をする間も、前記電動ファン20が作動しており、前記スターリング冷凍機15の放熱部15Ｂ及び駆動部15Ｃが冷却され続けているが、前述したように、前記スターリング冷凍機15の放熱部15Ｂ及び駆動部15Ｃの熱を奪った気流の出口14Ａが、前記ワゴン本体２の基台４の下面、即ち前記ワゴン本体２の底部において、下方に向かって開口するように形成されているので、前記気流が床面に吹き付けられ、販売員のみならず乗客にも気流が直接当たることがない。更に、前記電動ファン20の回転や気流によって発生した風切り音等の騒音が、販売員及び乗客から最も離れた前記ワゴン本体２底部の前記気流出口14Ａから放出されることになるので、販売員や乗客にとって前記騒音が気にならないようにすることができる。
【００２１】
そして、列車内を往復して戻ってきた際、前記二次電池25の充電量が基準値以下、即ち再度往復して戻ってくるのに不十分な充電量となっていた場合、前記二次電池25を前記電池室９から取り出し、前記コネクタ26の接続を外し、充電済みの二次電池25を前記電池室９に収容して前記コネクタ26を接続する。これによって、車内販売を連続して行うことができる。また、前述したように、前記冷却室７内を冷却するスターリング冷凍機15を駆動するための前記二次電池25が、従来用いられていたものに対して比較的小型のもので十分なので、この二次電池25を簡単に交換することができる。
【００２２】
以上のように本発明は、複数の車輪５を有する手押し型のワゴン本体２を有するサービスワゴン１に設けられた冷却室７内を、前記ワゴン本体２の電池室９に収容された二次電池25からの電力で駆動されると共に、従来用いられてきたコンプレッサー型冷凍機に対して比較的小型で且つ比較的小さい消費電力で−１８℃以下まで冷却することができるスターリング冷凍機15で冷却するように構成することで、前記ワゴン本体２に搭載される冷却のための機構及び二次電池25を小さくすることができ、前記ワゴン本体２における前記棚部６の割合を増やしてより多くの商品を積載することができるばかりでなく、車内販売等で前記冷却室７内を前記スターリング冷凍機15で冷却しながら長時間移動することが可能なサービスワゴン１を得ることができるものである。
【００２３】
また、前記電動ファン20によって発生して前記スターリング冷凍機15の放熱部15Ｂ及び駆動部15Ｃの熱を奪った気流を前記ワゴン本体２外に放出するための気流出口14Ａを前記ワゴン本体２の基台４の底部に設けたことで、前記スターリング冷凍機15の放熱部15Ｂ及び駆動部15Ｃの熱を奪った生温かい気流が販売員等や客に当たらないようにすることができるばかりでなく、前記電動ファン20や気流の経路で発生した風切り音などの騒音が、販売員等や客等から離れた前記ワゴン本体２の基台４の底部に形成された気流出口14Ａから放出されるので、販売員等や客等にとって騒音が気にならないようにすることができるものである。
【００２４】
また、前記ワゴン本体２に形成された電池室９に、前記二次電池25を着脱交換自在に設けたことで、放電済みの二次電池25を充電済みの二次電池25と交換しながら、連続して販売等を行うことができる。そして、前述したように、前記二次電池25が小型のもので十分であるので、この二次電池25の交換を比較的容易にすることができるものである。
【００２５】
更に、前記冷却室７の開口11を開閉自在に閉塞する蓋体12を前記ワゴン本体２に対して枢支するヒンジ機構23を、前記開口11の縁部21のうち前記スターリング冷凍機15から最も離れた縁部21Ａ近傍に設けると共に、前記開口11の縁部21と前記蓋体12との間に振動吸収性を有するパッキン22を設けたことで、前記スターリング冷凍機15及び車輪５から伝わる振動を前記パッキン22で吸収すると共に、前記スターリング冷凍機15の振動が前記ヒンジ機構23に至る間に十分減衰するので、前記蓋体12が殆ど振動せず、ビビリ音等の振動が前記蓋体12から殆ど発生しないようにすることができるものである。
【００２６】
なお、本発明は以上の実施形態に限定されるものではなく、発明の要旨の範囲内で種々の変形が可能である。例えば、上記実施形態では、前記熱伝達機構を介することで、前記スターリング冷凍機を前記冷却室と熱的に結合させているが、前記スターリング冷凍機の冷却部を前記冷却室に対して直接接触させるようにしても良い。また、スターリング冷凍機及び内蔵電源のレイアウトなどは、適宜変更しても良い。更に、上記実施形態では、内蔵電源として二次電池を用いたが、これ以外の電源、例えば燃料電池等を用いてもよい。
【図面の簡単な説明】
【００２７】
【図１】本発明の一実施例を示す側面図である。
【図２】同、縦断面図である。
【図３】同、Ａ−Ｂ−Ｃ−Ｄ断面図である。
【図４】同、回路のブロック図である。
【符号の説明】
【００２８】
１  サービスワゴン
２  ワゴン本体
５  車輪
７  冷却室
11  開口
12  蓋体
14Ａ  排気出口
15  スターリング冷凍機
20  電動ファン
21，21Ａ  縁部
22  パッキン
23  ヒンジ機構
25  二次電池（電池）
【図１】
2005270433.tif 000003
【図２】
2005270433.tif 000004
【図３】
2005270433.tif 000005
【図４】
2005270433.tif 000006